(57)【特許請求の範囲】
【請求項１】
スタンドと、取り出し口を前面下部に有し上部には半流動物充填用開口を備えた半流動物貯留用ボディと、プッシュキャップのプッシュ動作により発生する空気圧をボディ内の半流動物上部に賦与する半流動物押し出し手段とを備え、
前記スタンドは、前記ボディーの上記取り出し口を隠蔽可能な一体成形されたカバーを備え、
上記半流動物貯留用ボディは、上記スタンドの取付部に重心を後方に偏倚して枢設され、上記スタンドに対し、上記ボディが前後方向へ所定の角度だけ起倒可能となっており、上記スタンドは、不使用時は、上記ボディが後方へ若干傾斜した状態で保持されて上記取り出し口が上向きに傾斜し、上記スタンドの上記カバーにより上記取り出し口が閉塞状態となるものであり、かつ、上記半流動物取り出し時は、上記ボディを後方から前方へ略起立状に移動させることで上記取り出し口が下向きに傾斜するものであり、さらに、上記ボディの後方への傾きは、上記ボディの後端下面と上記スタンドの上記取付部の取付け板との当接によって規制され、前方への起立は、上記ボディの前端下部と上記スタンドの前面上部との当接によって規制されるものであり、
さらに、上記半流動物貯留用ボディは、上記半流動物貯留用ボディの不使用時の前記取り出し口が上向きに傾斜している状態では、該取り出し口から自然に流出しない粘性の高い半流動物を充填するための半流動物貯留用ボディであり、かつ、半流動物取り出し時は、上記ボディを後方から前方へ略起立状に移動させることで取り出し口がカバーから露出して下向きに傾斜し、上記半流動物押し出し手段により半流動物上部に賦与される空気圧で上記ボディ内の半流動物が前面下部の取り出し口から押し出されるものであることを特徴とする粘性の高い半流動物取り出し容器。
【請求項２】
上記半流動物押し出し手段は、上記半流動物貯留用ボディの上部に脱着可能に取付けられ、ボディ上部の半流動物充填用開口の蓋を兼備していることを特徴とする請求項１記載の粘性の高い半流動物取り出し容器。
【請求項３】
上記半流動物押し出し手段として、プッシュキャップと連動して伸縮する逆止弁付き蛇腹で半流動物を押し出すための空気圧を発生させる空圧機構を用いたことを特徴とする請求項１記載の粘性の高い半流動物取り出し容器。
【請求項４】
上記半流動物貯留用ボディ内は前面下部の取り出し口を除いて外部と遮断されていることを特徴とする請求項１記載の粘性の高い半流動物取り出し容器。
【請求項５】
上記半流動物貯留用ボディは、透明又は半透明部材で形成されていることを特徴とする請求項１記載の粘性の高い半流動物取り出し容器。
【発明の詳細な説明】
【０００１】
【発明の属する技術分野】
この発明は、粘性の高いクリームタイプの半流動物又は小さい固形物を含む半流動物を必要量ずつ容易に取り出すことができる粘性の高い半流動物取り出し容器に関する。
【０００２】
【従来の技術】
従来、たとえば、流動性のある調理みそ、マヨネーズ、ケチャップ、ヨーグルト等のようなクリームタイプの半流動物、又は小さい固形物を含むいちごジャム、マーマレードジャムその他天然原料パームオイルが主成分のアロエエキス入りボディソープに天然塩をプラスしたマッサージソープ等のように粘性が高く、しかも、ザラザラとした感触を有する半流動物は、従来より一般に使用されている、たとえば、シャンプー、リンス等の粘性の低い流動物を注出する公知の各種のプッシュ式液体注出容器では粘性が高いため取り出しが不可能である。
そこで、単なる蓋付き容器に一定量の半流動物を入れ、使用時には蓋を外して容器内の半流動物を専用スプーン等で必要量だけすくい取って使用している。
【０００３】
【発明が解決しようとする課題】
しかしながら、従来の蓋付き容器では、特に、ホテルの食堂、大衆食堂、給食センター等のように大量に取り扱うところでは、使い勝手が悪く、しかも、非能率的であり、容器からこぼすことも多く、非衛生的でもあった。また、大衆浴場等で使用するボディソープ、シャンプー、リンス等にあっては、不特定多数の人が１つの容器のものを共用するので、衛生的に好ましくなく、蓋の閉め忘れにより容器内に身体の洗い流し水等が入ってボディソープ、シャンプー、リンス等の本来の成分が希薄となったり、容器が傾いたり、倒れたりして容器から内容物がこぼれ出てしまい無駄な消費も著しいといった不具合があるなどの問題点があった。
【０００４】
この発明の粘性の高い半流動物取り出し容器は上記課題を解決し、従来不可能であった半流動物の取り出しが簡単な操作で必要量ずつスピーディに、しかも、衛生的に取り出しうるとともに、容器外への半流動物のこぼれ、漏出等を皆無とし、併せて、メンテナンスの簡易化をも図った使い勝手のよい粘性の高い半流動物取り出し容器の提供を目的としている。
【０００５】
【課題を解決するための手段】
上記課題を解決するこの発明の請求項１の粘性の高い半流動物取り出し容器は、
スタンドと、取り出し口を前面下部に有し上部には半流動物充填用開口を備えた半流動物貯留用ボディと、プッシュキャップのプッシュ動作により発生する空気圧をボディ内の半流動物上部に賦与する半流動物押し出し手段とを備え、
前記スタンドは、前記ボディーの上記取り出し口を隠蔽可能な一体成形されたカバーを備え、
上記半流動物貯留用ボディは、上記スタンドの取付部に重心を後方に偏倚して枢設され、上記スタンドに対し、上記ボディが前後方向へ所定の角度だけ起倒可能となっており、上記スタンドは、不使用時は、上記ボディが後方へ若干傾斜した状態で保持されて上記取り出し口が上向きに傾斜し、上記スタンドの上記カバーにより上記取り出し口が閉塞状態となるものであり、かつ、上記半流動物取り出し時は、上記ボディを後方から前方へ略起立状に移動させることで上記取り出し口が下向きに傾斜するものであり、さらに、上記ボディの後方への傾きは、上記ボディの後端下面と上記スタンドの上記取付部の取付け板との当接によって規制され、前方への起立は、上記ボディの前端下部と上記スタンドの前面上部との当接によって規制されるものであり、
さらに、上記半流動物貯留用ボディは、上記半流動物貯留用ボディの不使用時の前記取り出し口が上向きに傾斜している状態では、該取り出し口から自然に流出しない粘性の高い半流動物を充填するための半流動物貯留用ボディであり、かつ、半流動物取り出し時は、上記ボディを後方から前方へ略起立状に移動させることで取り出し口がカバーから露出して下向きに傾斜し、上記半流動物押し出し手段により半流動物上部に賦与される空気圧で上記ボディ内の半流動物が前面下部の取り出し口から押し出されるものであることを要旨とする。
【０００７】
上記課題を解決するこの発明の請求項２の粘性の高い半流動物取り出し容器は、上記請求項１記載の粘性の高い半流動物取り出し容器において、
上記半流動物押し出し手段は、上記半流動物貯留用ボディの上部に脱着可能に取付けられ、ボディ上部の半流動物充填用開口の蓋を兼備していることを要旨とする。
【０００８】
上記課題を解決するこの発明の請求項３の粘性の高い半流動物取り出し容器は、上記請求項１記載の粘性の高い半流動物取り出し容器において、
上記半流動物押し出し手段として、プッシュキャップと連動して伸縮する逆止弁付き蛇腹で半流動物を押し出すための空気圧を発生させる空圧機構を用いたことを要旨とする。
【０００９】
上記課題を解決するこの発明の請求項４の粘性の高い半流動物取り出し容器は、上記請求項１記載の粘性の高い半流動物取り出し容器において、
上記半流動物貯留用ボディ内は前面下部の取り出し口を除いて外部と遮断されていることを要旨とする。
【００１０】
上記課題を解決するこの発明の請求項５の粘性の高い半流動物取り出し容器は、上記請求項１記載の粘性の高い半流動物取り出し容器において、
上記半流動物貯留用ボディは、透明又は半透明部材で形成されていることを要旨とする。
【００１１】
上記構成を有するこの発明の請求項１記載の粘性の高い半流動物取り出し容器は、スタンドと、取り出し口を前面下部に有し上部には半流動物充填用開口を備えた半流動物貯留用ボディと、プッシュキャップのプッシュ動作により発生する空気圧をボディ内の半流動物上部に賦与する半流動物押し出し手段とを備えて、上記半流動物押し出し手段により半流動物上部に賦与される空気圧でボディ内の半流動物が前面下部の取り出し口から押し出されるようにしたから、プッシュキャップをプッシュ操作することによる空気圧でボディ内に充填されている半流動物は下方へ押動されボディの前面下部に備えられている取り出し口から押し出される。この結果、プッシュキャップのプッシュ加減（プッシュストローク及びプッシュ回数など）によって所望量の半流動物を押し出すことができるために粘性の高い半流動物でも必要量ずつスピーディに、しかも、衛生的に取り出しうる。
【００１２】
そして、半流動物貯留用ボディが、スタンドの上部に重心を後方に偏倚して取付けられ、不使用時はボディが後方へ若干傾斜した状態で保持されて前面下部の取り出し口が上向きに傾斜してスタンドに一体形成されているカバー内に隠蔽され、半流動物取り出し時はボディを後方から前方へ略起立状に移動させることで取り出し口がカバーから露出して下向きに傾斜するようにしたから、不使用時は取り出し口が上向き傾斜で、しかも、カバー内に隠蔽されて取り出し口が閉塞状態にあるためにボディ内の半流動物は高い粘性を有し、取り出し口が上向きに傾斜していることと相まって半流動物が取り出し口から自然に流出することはなく、また、取り出し口はカバー内に隠蔽されているので、水、ほこり等が取り出し口に付着することはない。この結果、不使用時に半流動物がみだりにたれ落ちたり、取り出し口に水、ほこり等が付着することはなく、衛生的に保たれる。
また、半流動物取り出し時はボディを略起立状にまで前方へ移動させると、取り出し口がカバーから露出すると同時に下向き傾斜となるため、半流動物の取り出しが後述する空気圧による少ない押圧力で容易、確実に行いうる。
【００１３】
上記構成を有するこの発明の請求項２記載の粘性の高い半流動物取り出し容器は、半流動物押し出し手段が半流動物貯留用ボディの上部に脱着可能に取付けられ、ボディ上部の半流動物充填用開口の蓋を兼備しているから、ボディ内に半流動物を充填するときは半流動物押し出し手段を取り外せば上部の充填用開口は開放されるので、半流動物の充填が容易に行え、充填後、押し出し手段を開口に取付ければ、ボディの上部は密封される。この結果、特別の充填手段を要することなく半流動物のボディへの充填が容易にでき、構造的にも簡略化される。
【００１４】
上記構成を有するこの発明の請求項３記載の粘性の高い半流動物取り出し容器は、半流動物押し出し手段にプッシュキャップと連動して伸縮する逆止弁付き蛇腹で半流動物を押し出すための空気圧を発生させる空圧機構を用いたから、プッシュキャップをプッシュ操作して蛇腹を伸縮させるだけで半流動物を押し出すのに必要な空気圧を発生させることができる。この結果、構造簡単で故障も少ない空圧機構をもって半流動物の押し出しが簡単な操作で軽快、かつ、確実に行えるので、使い勝手がよく、また、上記蓋の兼備と相まって構造は簡略化され、コスト的にも有利である。
【００１５】
上記構成を有するこの発明の請求項４記載の粘性の高い半流動物取り出し容器は、半流動物貯留用ボディ内が前面下部の取り出し口を除いて外部と遮断されているから、上記空気圧による半流動物の押し出しが空気漏れがないので確実に行いうるとともに、たとえば、頭から水をかけるだけで容器の水洗いができ、メンテナンスが簡単であり、ボディ内に洗い流し水等の流入もないので、半流動物の品質を損うことはなく、また、衛生的でもある。この結果、ホテルの食堂、大衆食堂、浴場等での使用に便利、かつ、重宝なものである。
【００１６】
上記構成を有するこの発明の請求項５記載の粘性の高い半流動物取り出し容器は、半流動物貯留用ボディが透明又は半透明部材で形成されているから、ボディ内に充填貯留されている半流動物の残量が一目でわかる。この結果、半流動物の使用状態、補充の有無等の判断が迅速、確実に行えて便利である。
【００１７】
【発明の実施の形態】
以上説明したこの発明の構成、作用を一層明確にするために、以下この発明の粘性の高い半流動物取り出し容器の好適な実施の形態の一例について図面を参照して詳細に説明する。
【００１８】
図面において、Ａは滑り止め付きスタンドで、下端エッジ部１に滑り止め用モール２を嵌合固定して備え、上方内部に後述する半流動物貯留用ボディＢを枢支するための取付部３と水抜き穴４とを有する取付板５を、また、前面開口６の上方外部には後述する半流動物取り出し口１１を出没させるためのカバー７を備えた構造となっており、このスタンドＡは、たとえば、合成樹脂で２ｍｍ程度の肉厚をもって一体形成されている。なお、滑り止めを設けると、特に、浴場等での使用において効果的である。
【００１９】
Ｂは半流動物貯留用ボディで、ロアボディ８とアッパーボディ９とを一体に接続してなり、ロアボディ８の内部は漏斗状に形成され、その比較的開口面積を大きくした前寄りの出口１０に連通する角管状の半流動物取り出し口１１を前方に突出して一体形成している。また、アッパーボディ９は上部に半流動物充填用開口１２を有し、この開口１２の外周部にはパッキング嵌入用凹溝１３を備え、後部上方に手掛け用の凹入部１４を設けている。なお、手掛け用凹入部１４に指先をかけて容器を持ち運ぶときは、スタンドＡに対しボディＢ側が前傾状態になって取り出し口１１がカバー７から露出するので、取り出し口１１がカバー７内に入った不使用状態においてカバー７の外側に、たとえば、コ字状の保持具（図示せず）を前方から嵌めつけて取り出し口１１をカバー７に保持するようにするのが望ましい。
【００２０】
上記構成のロアボディ８とアッパーボディ９とは段状接続部１５において気密に一体結合され、このボディＢは透明又は半透明の、たとえば、合成樹脂で２ｍｍ〜２．５ｍｍ程度の肉厚をもって一体形成されている。そして、このボディＢは上記スタンドＡの取付部３にヒンジバー１６により重心を後方に偏して枢設され、スタンドＡに対しボディＢが前後方向へ所定の角度だけ起倒できるようになっており、不使用時はボディＢが後方へ若干傾斜した状態で保持されて取り出し口１１が上向きに傾斜してスタンドＡのカバー７内に入って隠蔽され、半流動物取り出し時はボディＢを後方から前方へ略起立状に移動させることで取り出し口１１がカバー７から露出して下向きに傾斜するようになっている。なお、１７は上記パッキング嵌入用凹溝１３に嵌着したパッキングである。また、ボディＢの後方への傾きは、ロアボディ８の後端下面がスタンドＡの取付板５に当って規制され、前方への起立は、アッパーボディ９の前端下部がスタンドＡの前面上部に当って規制されるようになっている。
【００２１】
Ｃは半流動物押し出し装置で、上記半流動物貯留用ボディＢの上部に脱着可能に取付けられ、ボディＢの上部の半流動物充填用開口１２の蓋を兼備するようになっている。
上記半流動物押し出し装置Ｃは、有底筒状のカバー体１８と、このカバー体１８内に備えた復元力を有する逆止弁１９付きの蛇腹２０と、この蛇腹２０を伸縮させるプッシュキャップ２１とからなり、カバー体１８の下面筒部２２の外部に横方向に突出して備えた数個の係止片２３がボディＢの上部の角孔状開口１２の下面数個所に備えた係止部２４に、上記係止片２３をボディＢの開口１２の角部からカバー体１８の下面壁２５が上記パッキング１７に圧接するまで挿入して所定の方向（たとえば、右方向）へ４５度回動することにより係合してボディＢに対しカバー体１８の結合ができ、上記結合動作と反対動作でその結合が解け、ボディＢに対する押し出し装置Ｃの脱着が簡単に行えるようになっている。なお、３５はカバー体１８の下面壁２５の四方に設けた水抜きを兼ねた空気導入孔で、上記ボディＢの上面と半流動物押し出し装置Ｃのカバー体１８の下面との隙間ｂ及び上記手掛け用凹入部１４と連通している。
【００２２】
上記カバー体１８内には蛇腹２０が蛇腹台２６の吐出口２７をカバー体１８の下面壁２５に備えた吹出筒部２９に緊密に嵌め付けるとともに、蛇腹台２６をカバー体１８の支承筒３０で支承して取付けられ、蛇腹２０の上部にはプッシュキャップ２１が上下可動自由に備えられ、キャップ２１の内部中心部の上方に備えられた支持筒３１を蛇腹２０の上面に押し当て蛇腹２０の上部を支持している。そして、キャップ２１の下端外周の数個所に外方へ突出して備えた掛止片３２をカバー体１８の上端周壁３３にその復元力を利用して押し込み掛止して上方へ抜脱しないように取付け、プッシュキャップ２１のプッシュ操作でキャップ２１と連動して伸縮する逆止弁１９付きの蛇腹２０で半流動物を押し出すための空気圧を発生させる空圧発生装置２８を構成している。なお、キャップ２１の上面には滑り止め用の凹条３４を備えている。
【００２３】
この発明の粘性の高い半流動物取り出し容器は、上述したように、滑り止め付きスタンドＡの上部に、開口面積の比較的大きい半流動物取り出し口１１を前面下部に有し、上部には半流動物充填用開口１２を備えた半流動物貯留用ボディＢを後方に重心を偏して常時後方へ若干傾斜して保持されるように枢支して備え、上記ボディＢの上部に、プッシュキャップ２１のプッシュ動作により発生する空気圧をボディＢ内の半流動物ａに賦与してボディＢ内の半流動物ａを取り出し口１１から押し出されるようにしたから、通常の液体注出容器では取り出し不可能な粘性の高い半流動物でも容易に取り出すことができるものである。
【００２４】
上記構成において、その使用手順を以下に説明すると、先ず、半流動物押し出し装置Ｃを所定方向（たとえば、左方向）へ４５度回動すると、係止片２３が係止部２４から外れるため押し出し装置Ｃを半流動物貯留用ボディＢから取り外してボディＢの上部充填用開口１２を開放する。その後、ボディＢ内に半流動物ａを開口１２から充填し、再び押し出し装置ＣをボディＢの上部に前述した理により取付けてボディＢの上部開口１２を密閉する。半流動物充填後器体から手を離すと、ボディＢは後方へ若干傾斜した状態で保持される（図１の状態参照）。
そこで、半流動物ａを取り出す時は、先ず、ボディＢを前方へ略起立状に移動させる。この移動により前面下部の取り出し口１１がカバー７から露出して下向きに傾斜する（図２の状態参照）。その後、この状態を保ってプッシュキャップ２１をプッシュ操作すると、キャップ２１と連動する蛇腹２０がその復元力に抗して収縮し内部の空気を吐出口２７から吹出筒部２９を介してボディＢ内の半流動物ａの上部に賦与するため、半流動物ａは空気圧により下方へ押動され前面下部の取り出し口１１から押し出される。このとき、逆止弁１９は空気圧で閉止されている。以上の取り出し動作は、換言すれば、ボディＢを前方へ起こしてプッシュキャップ２１を押すだけで半流動物の取り出しが容易、確実に行いうるものである。
半流動物ａの取り出し終了後、プッシュキャップ２１から手を離すと、プッシュキャップ２１は蛇腹２０の復元力で上昇し同時に蛇腹２０内には隙間ｂ及び水抜きを兼ねた空気導入孔３５からの空気が逆止弁１９を開いて吸入される。そして、ボディＢは自重で後方へ傾斜して不使用時の状態に保持される。
【００２５】
以上この発明の実施の形態の一例について説明したが、この発明はこうした実施の形態のものに何等限定されず、この発明の要旨を逸脱しない範囲において種々なる形態で実施しうること勿論である。
【００２６】
【発明の効果】
この発明は以上説明したような形態で実施され、以下に記載されるような効果を奏する。
【００２７】
この発明の請求項１記載の粘性の高い半流動物取り出し容器によれば、スタンドと、取り出し口を前面下部に有し上部には半流動物充填用開口を備えた半流動物貯留用ボディと、プッシュキャップのプッシュ動作により発生する空気圧をボディ内の半流動物上部に賦与する半流動物押し出し手段とを備えて、上記半流動物押し出し手段により半流動物上部に賦与される空気圧でボディ内の半流動物が前面下部の取り出し口から押し出されるようにしたから、プッシュキャップをプッシュ操作することによる空気圧でボディ内に充填されている半流動物は下方へ押動されボディの前面下部に備えられている取り出し口から押し出される。したがって、プッシュキャップのプッシュ加減（プッシュストローク及びプッシュ回数など）によって所望量の半流動物を押し出すことができるために粘性の高い半流動物でも必要量ずつスピーディに、しかも、衛生的に取り出すことができる。
【００２８】
そして、半流動物貯留用ボディが、スタンドの上部に重心を後方に偏倚して取付けられ、不使用時はボディが後方へ若干傾斜した状態で保持されて前面下部の取り出し口が上向きに傾斜してスタンドに一体形成されているカバー内に隠蔽され、半流動物取り出し時はボディを後方から前方へ略起立状に移動させることで取り出し口がカバーから露出して下向きに傾斜するようにしたから、不使用時は取り出し口が上向き傾斜で、しかも、カバー内に隠蔽されて取り出し口が閉塞状態にあるためにボディ内の半流動物は高い粘性を有し、取り出し口が上向きに傾斜していることと相まって半流動物が取り出し口から自然に流出することはなく、また、取り出し口はカバー内に隠蔽されているので、水、ほこり等が取り出し口に付着することはない。したがって、不使用時に半流動物がみだりにたれ落ちたり、取り出し口に水、ほこり等が付着することはなく、衛生的に保たれる。
また、半流動物取り出し時はボディを略起立状にまで前方へ移動させると、取り出し口がカバーから露出すると同時に下向き傾斜となるため、半流動物の取り出しが後述する空気圧による少ない押圧力で容易、確実に行いうる。
【００２９】
この発明の請求項２記載の粘性の高い半流動物取り出し容器によれば、半流動物押し出し手段が半流動物貯留用ボディの上部に脱着可能に取付けられ、ボディ上部の半流動物充填用開口の蓋を兼備しているから、ボディ内に半流動物を充填するときは半流動物押し出し手段を取り外せば上部の充填用開口は開放されるので、半流動物の充填が容易に行え、充填後、押し出し手段を開口に取付ければ、ボディの上部は密封される。したがって、特別の充填手段を要することなく半流動物のボディへの充填が容易にでき、構造的にも簡略化される。
【００３０】
この発明の請求項３記載の粘性の高い半流動物取り出し容器によれば、半流動物押し出し手段にプッシュキャップと連動して伸縮する逆止弁付き蛇腹で半流動物を押し出すための空気圧を発生させる空圧機構を用いたから、プッシュキャップをプッシュ操作して蛇腹を伸縮させるだけで半流動物を押し出すのに必要な空気圧を発生させることができる。したがって、構造簡単で故障も少ない空圧機構をもって半流動物の押し出しが簡単な操作で軽快、かつ、確実に行えるので、使い勝手がよく、また、上記蓋の兼備と相まって構造は簡略化され、コスト的にも有利である。
【００３１】
この発明の請求項４記載の粘性の高い半流動物取り出し容器によれば、半流動物貯留用ボディ内が前面下部の取り出し口を除いて外部と遮断されているから、上記空気圧による半流動物の押し出しが確実に行いうるとともに、たとえば、頭から水をかけるだけで容器の水洗いができ、メンテナンスが簡単であり、ボディ内に洗い流し水等の流入もないので、半流動物の品質を損うことはなく、また、衛生的でもある。したがって、ホテルの食堂、大衆食堂、あるいは、浴場等での使用に便利、かつ、重宝なものである。
【００３２】
この発明の請求項５記載の粘性の高い半流動物取り出し容器によれば、半流動物貯留用ボディが透明又は半透明部材で形成されているから、ボディ内に充填貯留されている半流動物の残量が一目でわかる。したがって、半流動物の使用状態、補充の有無等の判断が迅速、確実に行えて便利である。
【００３３】
この発明は従来不可能であった粘性の高い半流動物の取り出しが簡単な操作でスピーディに、しかも、衛生的に取り出しうるから、特に、ホテルの食堂、大衆食堂、給食センター、浴場等で大量に使用するクリームタイプの半流動物又は小さい固形物を含む半流動物に適用して効果的なものである。
【図面の簡単な説明】
【図１】この発明の粘性の高い半流動物取り出し容器の一例を示した不使用時の状態の縦断側面図である。
【図２】同、半流動物取り出し時の状態の縦断側面図である。
【図３】同、半断正面図である。
【図４】半流動物押し出し装置を取り外し分離した状態の一部切欠側面図である。
【図５】半流動物押し出し装置のカバー体だけの一部平面図である。
【図６】同、仰視図である。
【図７】半流動物貯留用ボディの一部平面図である。
【図８】同、仰視図である。
【図９】スタンドの一部仰視図である。
【図１０】ヒンジバーの平面図である。
【符号の説明】
Ａ…スタンド
Ｂ…半流動物貯留用ボディ
Ｃ…半流動物押し出し装置
７…カバー
１１…半流動物取り出し口
１２…半流動物充填用開口
２０…逆止弁付き蛇腹
２１…プッシュキャップ
２８…空圧発生装置
【図１】
0004316082.tif 000002
【図２】
0004316082.tif 000003
【図３】
0004316082.tif 000004
【図４】
0004316082.tif 000005
【図５】
0004316082.tif 000006
【図６】
0004316082.tif 000007
【図７】
0004316082.tif 000008
【図８】
0004316082.tif 000009
【図９】
0004316082.tif 000010
【図１０】
0004316082.tif 000011